(57)【要約】【課題】基本モードと第１高次モードとの損失差の波長特性が緩やかな光ファイバに対しても遮断波長を特定可能とすること。【解決手段】広帯域光源１で発せられた光波から所定の波長の光波を分光器２により取り出して被測定光ファイバＡの一端に入射し、マルチモード励振させた状態で可変開口部３における開口角を逐次変化させた時に受光部４から出力される光パワーに基づいてモードフィールド径を算出し、これを分光器２により取り出す波長を変えて繰り返してマルチモード励振時のモードフィールド径の波長特性を測定し、高次モード除去器７を分光器２と被測定光ファイバＡの一端との間に挿入して単一モード励振時のモードフィールド径の波長特性を同様にして測定し、両者の比較値が所定の値となる波長を遮断波長とする。【選択図】図１
2012150002.tif 000002
【特許請求の範囲】
【請求項１】
広帯域光源と、
前記広帯域光源で発せられた光波から被測定光ファイバの一端に入射するための任意の波長の光波を取り出す分光器と、
被測定光ファイバの他端から出射される光波の開口角を任意に設定する可変開口部と、
前記可変開口部を介して被測定光ファイバの他端から出射される光波を受光し、その光パワーに応じた電気信号に変換する受光部と、
受光部から出力される電気信号を記録して処理する信号処理部とを少なくとも用い、
前記信号処理部により、
広帯域光源で発せられた光波から所定の波長の光波を分光器により取り出して被測定光ファイバの一端に入射し、マルチモード励振させた状態で可変開口部における開口角を逐次変化させた時に受光部から出力される光パワーに基づいてモードフィールド径を算出し、これを分光器により取り出す波長を変えて繰り返してマルチモード励振時のモードフィールド径の波長特性を測定し、
広帯域光源で発せられた光波から所定の波長の光波を分光器により取り出して被測定光ファイバの一端に入射し、単一モード励振させた状態で可変開口部における開口角を逐次変化させた時に受光部から出力される光パワーに基づいてモードフィールド径を算出し、これを分光器により取り出す波長を変えて繰り返して単一モード励振時のモードフィールド径の波長特性を測定し、
マルチモード励振時のモードフィールド径の波長特性と、単一モード励振時のモードフィールド径の波長特性とを比較し、
前記比較値が所定の値となる波長を計測して遮断波長を測定する
ことを特徴とする遮断波長測定方法。
【請求項２】
広帯域光源と、
前記広帯域光源で発せられた光波から被測定光ファイバの一端に入射するための任意の波長の光波を取り出す分光器と、
被測定光ファイバの他端から出射される光波の開口角を任意に設定する可変開口部と、
前記可変開口部を介して被測定光ファイバの他端から出射される光波を受光し、その光パワーに応じた電気信号に変換する受光部と、
受光部から出力される電気信号を記録して処理する信号処理部とを少なくとも用い、
前記信号処理部により、
広帯域光源で発せられた光波から所定の波長の光波を分光器により取り出して被測定光ファイバの一端に入射し、マルチモード励振させた状態で可変開口部における開口角を逐次変化させた時に受光部から出力される光パワーに基づいてモードフィールド径を算出し、これを分光器により取り出す波長を変えて繰り返してマルチモード励振時のモードフィールド径の波長特性を測定し、
広帯域光源で発せられた光波から所定の波長の光波を分光器により取り出して被測定光ファイバの一端に入射し、単一モード励振させた状態で可変開口部における開口角を逐次変化させた時に受光部から出力される光パワーに基づいてモードフィールド径を算出し、これを分光器により取り出す波長を変えて繰り返して単一モード励振時のモードフィールド径の波長特性を測定し、
マルチモード励振時のモードフィールド径の波長特性と、単一モード励振時のモードフィールド径の波長特性とを比較し、
前記比較値が所定の値以下であるか否かを判定することによって、測定波長帯で被測定光ファイバの動作モードが単一モード動作かマルチモード動作かを判定する
ことを特徴とする動作モード判定方法。
【請求項３】
広帯域光源と、
前記広帯域光源で発せられた光波から被測定光ファイバの一端に入射するための任意の波長の光波を取り出す分光器と、
被測定光ファイバの他端から出射される光波の開口角を任意に設定する可変開口部と、
前記可変開口部を介して被測定光ファイバの他端から出射される光波を受光し、その光パワーに応じた電気信号に変換する受光部と、
受光部から出力される電気信号を記録して処理する信号処理部とを少なくとも備え、
前記信号処理部は、さらに
広帯域光源で発せられた光波から所定の波長の光波を分光器により取り出して被測定光ファイバの一端に入射し、マルチモード励振させた状態で可変開口部における開口角を逐次変化させた時に受光部から出力される光パワーに基づいてモードフィールド径を算出し、これを分光器により取り出す波長を変えて繰り返してマルチモード励振時のモードフィールド径の波長特性を測定する手段と、
広帯域光源で発せられた光波から所定の波長の光波を分光器により取り出して被測定光ファイバの一端に入射し、単一モード励振させた状態で可変開口部における開口角を逐次変化させた時に受光部から出力される光パワーに基づいてモードフィールド径を算出し、これを分光器により取り出す波長を変えて繰り返して単一モード励振時のモードフィールド径の波長特性を測定する手段と、
マルチモード励振時のモードフィールド径の波長特性と、単一モード励振時のモードフィールド径の波長特性とを比較する手段と、
前記比較値が所定の値となる波長を計測して遮断波長を測定する手段とを含む
ことを特徴とする遮断波長測定装置。
【請求項４】
広帯域光源と、
前記広帯域光源で発せられた光波から被測定光ファイバの一端に入射するための任意の波長の光波を取り出す分光器と、
被測定光ファイバの他端から出射される光波の開口角を任意に設定する可変開口部と、
前記可変開口部を介して被測定光ファイバの他端から出射される光波を受光し、その光パワーに応じた電気信号に変換する受光部と、
受光部から出力される電気信号を記録して処理する信号処理部とを少なくとも備え、
前記信号処理部は、さらに
広帯域光源で発せられた光波から所定の波長の光波を分光器により取り出して被測定光ファイバの一端に入射し、マルチモード励振させた状態で可変開口部における開口角を逐次変化させた時に受光部から出力される光パワーに基づいてモードフィールド径を算出し、これを分光器により取り出す波長を変えて繰り返してマルチモード励振時のモードフィールド径の波長特性を測定する手段と、
広帯域光源で発せられた光波から所定の波長の光波を分光器により取り出して被測定光ファイバの一端に入射し、単一モード励振させた状態で可変開口部における開口角を逐次変化させた時に受光部から出力される光パワーに基づいてモードフィールド径を算出し、これを分光器により取り出す波長を変えて繰り返して単一モード励振時のモードフィールド径の波長特性を測定する手段と、
マルチモード励振時のモードフィールド径の波長特性と、単一モード励振時のモードフィールド径の波長特性とを比較する手段と、
前記比較値が所定の値以下であるか否かを判定することによって、測定波長帯で被測定光ファイバの動作モードが単一モード動作かマルチモード動作かを判定する手段とを含む
ことを特徴とする動作モード判定装置。
【発明の詳細な説明】
【技術分野】
【０００１】
本発明は、光ファイバの遮断波長の測定および任意の波長帯における光ファイバの動作モードの判定技術に関する。
【背景技術】
【０００２】
高速かつ広帯域な光伝送を実現するため、使用波長帯域における伝搬モード数が１であり、モード分散を生じない単一モードファイバ（ＳＭＦ）が広く利用されている。ＳＭＦではファイバ構造によって決定されるモードフィールド径（ＭＦＤ）、遮断波長、曲げ損失が主なパラメータであるが、単一モード伝送を保証するために遮断波長は重要なパラメータとなっている。また最近では空孔構造を導入した光ファイバにおいて、どの波長帯でも単一モード動作を保証できるEndlessly single modeと呼ばれる単一モード特性が知られており、伝送波長帯域の拡大による超大容量伝送の実現が期待されている。
【０００３】
従来、遮断波長を測定するためには、曲げ法およびマルチモード励振法が利用されており、光ファイバ中の基本モードおよび第１高次モードの損失差の波長特性を測定し、損失差が急激に変化する波長を遮断波長として特定していた。また特許文献１では、軸ずれ励振時のFar field pattern測定を行い、測定結果の形状から測定波長での単一モード動作性を確認する方法が提案されており、曲げ損失を低減した低曲げ損失ファイバに適用可能であった。
【発明の概要】
【発明が解決しようとする課題】
【０００４】
しかしながら、空孔構造を有する光ファイバなど、第１高次モードの漏洩損失が波長に対して緩やかに変化する光ファイバでは、遮断波長の特定、即ち損失差が急激に変化する波長の抽出が困難であり、また任意の波長の測定結果から当該波長における動作モードを判定、即ち単一モード（Single Mode：ＳＭ）動作であるかマルチモード（Multi Mode：ＭＭ）動作であるかを判定することが困難であるという課題があった。また特許文献１の方法を用いて広い波長帯で測定を行う際には、測定を行いたい波長帯に応じて複数の光源が必要であるという課題があった。
【課題を解決するための手段】
【０００５】
本発明では、周知のVariable Aperture（ＶＡ）法を用いて単一モード励振時およびマルチモード励振時のモードフィールド径の波長特性を測定し、両者を比較することにより、前記課題を解決する。
【発明の効果】
【０００６】
本発明によれば、空孔構造光ファイバなど、基本モードと第１高次モードとの損失差の波長特性が緩やかな光ファイバに対しても遮断波長を特定でき、任意の波長帯における動作モードを判定することができる、といった効果を奏する。
【図面の簡単な説明】
【０００７】
【図１】本発明の遮断波長測定および動作モード判定装置の実施の形態の一例を示す構成図である。
【図２】本発明装置における基本モードおよび第１高次モードが混在したときに算出されるＭＦＤの一例を示す特性図である。
【図３】本発明装置による遮断波長の測定結果の一例を示す特性図である。
【図４】本発明装置による遮断波長の測定結果の他の例を示す特性図である。
【図５】本発明装置による動作モードの判定結果の一例を示す特性図である。
【図６】本発明装置におけるＭＦＤの比較値とＭＰＩとの関係の一例を示す特性図である。
【図７】本発明装置における測定手順の一例を示すフローチャートである。
【発明を実施するための形態】
【０００８】
以下、図面を参照して発明の実施の形態を説明する。
【０００９】
図１は本発明の遮断波長測定および動作モード判定装置の実施の形態の一例を示すもので、図中、１は広帯域光源、２は分光器、３は可変開口（Variable Aperture）部、４は受光部、５は信号処理部、６は表示部、７は高次モード除去器、８は調芯台、９はレンズである。
【００１０】
広帯域光源１は、比較的広い波長帯に亘る光波を発生するもので、白色光源、ＬＥＤ、ＳＬＤ、ＳＣ光などが利用できる。分光器２は、広帯域光源１で発せられた光波から被測定光ファイバ、例えばＡの一端に入射するための任意の波長の光波を取り出す。
【００１１】
可変開口部３は、被測定光ファイバＡの他端と受光部４との間に設置され、被測定光ファイバＡの他端から出射される光波の開口角を任意に設定する。受光部４は、可変開口部３を介して被測定光ファイバＡの他端から出射される光波を受光し、その光パワーに応じた電気信号に変換する。信号処理部５は、受光部４から出力された電気信号を記録し、後述する如く処理して遮断波長測定および動作モード判定を行う。表示部６は、信号処理部５で処理された結果を表示する。
【００１２】
高次モード除去器７は、分光器２の出力光から高次モード光を除去するためのもので、測定波長帯で単一モード動作が可能な単一モード光ファイバなどが利用できる。なお、後述するように、高次モード除去器７はＳＭ励振を行う場合にのみ、分光器２と被測定光ファイバＡの一端との間に挿入される。調芯台８は、被測定光ファイバＡの他端を可変開口部３に対する所定の位置に位置合わせするためのものであり、また、レンズ９は可変開口部３を通過した光波を受光部４に集光するためのものである。
【００１３】
前記構成において、広帯域光源１から発せられた光波は分光器２により所定の波長、例えばλの光波が取り出された後、被測定光ファイバＡの一端に入射される。被測定光ファイバＡを伝搬し、その他端から出射された光波は可変開口部３により任意の開口角に絞られ、受光部４に受光され、このときの光パワーが信号処理部５で記録される。可変開口部３における開口角を逐次変化させ、それぞれの開口角における光パワーを取得し、これらに基づき、下記式(1)、(2)、(3)によって波長λにおけるＭＦＤに変換する。
【００１４】
【数１】
2012150002.tif 000003
【００１５】
【数２】
2012150002.tif 000004
【００１６】
【数３】
2012150002.tif 000005
【００１７】
ここで、θiは開口角（ｉ＝１，２，…ｎ）、Ｐ(θi)は開口角θiにおける光パワー、２Ｗ(λ)は波長λにおけるＭＦＤを表す。なお、ＶＡ法によるＭＦＤの測定手順および計算手順は非特許文献１に詳述されている。
【００１８】
本発明の遮断波長測定および動作モード判定装置では、分光器２により取り出す波長を変更、例えば所定の波長間隔で変更して前記同様の動作を繰り返すことにより、ＭＦＤの波長特性を測定する。
【００１９】
また、本発明の遮断波長測定および動作モード判定装置では、測定するＭＦＤの波長特性として、複数のモードが伝搬可能な状態（マルチモード励振：ＭＭ励振）におけるＭＦＤの波長特性と、基本モードのみが伝搬可能な状態（単一モード励振：ＳＭ励振）におけるＭＦＤの波長特性とを測定し、これらを比較することにより、遮断波長の特定および動作モードの判定を行う。
【００２０】
ここで、ＭＭ励振を行う場合には、分光器２から空間結合により直接、被測定光ファイバＡの一端に光波を入射するか、マルチモードファイバなどの伝搬モード数が２以上である光ファイバを分光器２と被測定光ファイバＡの一端との間に挿入する。またＳＭ励振を行う場合には、高次モード除去器７を分光器２と被測定光ファイバＡの一端との間に挿入する。ここで、高次モード除去器７を単一モード光ファイバで構成した場合、当該単一モード光ファイバに曲げを加えると、光ファイバ中のクラッドモード（クラッド層もしくは被覆を伝搬する光）を除去でき、これによって測定波長帯で安定な単一モード動作を実現することができるため、測定結果の誤差を小さくできる。
【００２１】
図２は本発明の遮断波長測定および動作モード判定装置における、基本モードおよび第１高次モードが混在したときに算出されるＭＦＤの一例を示す特性図である。ここで、横軸は基本モード（ＬＰ０１）のパワーＰ０１に対する第１高次モード（ＬＰ１１）のパワーＰ１１の割合（Ｐ１１／Ｐ０１）を表し、縦軸（左：実線）は両モードが混ざり合った電界分布φ(x，y)を用いて下記式(4)のＦＦＰモーメントを用いて数値計算によって求めたＭＦＤである。また、縦軸（右：破線）は、ＳＭ励振時（Ｐ１１／Ｐ０１＝０）のＭＦＤ（２Ｗ0）と任意のパワー比のＭＦＤ（２Ｗ）を用いて10log（Ｗ／Ｗ0）にて求めた比較値である。
【００２２】
【数４】
2012150002.tif 000006
【００２３】
被測定光ファイバは、コアの直径２ａが9.0μｍ、比屈折率差Δが0.35%であるステップ型屈折率分布の単一モードファイバ（ＳＭＦ）とし、波長は1200ｎｍとした。Ｐ１１／Ｐ０１＝０となるＳＭ励振時では、ＭＦＤは8.83μｍだった。
【００２４】
また図２よりＰ１１／Ｐ０１が大きくなると、算出されるＭＦＤが小さくなることがわかる。これはＬＰ１１の電界分布が足し合わされることで式(4)中の電界分布φ(x,y)が変化し、特にファイバ中心付近における電界分布の変化が大きくなり、式(4)の分子が増加することに起因する。ＬＰ０１とＬＰ１１が混ざり合った状態は、測定ではＭＭ励振に対応する。
【００２５】
ここで、単一モード動作領域では高次モードが伝搬不可能となるため即座に漏洩し、当該波長帯でＭＭ励振を行っても、受光端では基本モードのみが出射される。即ち、ＳＭ励振およびＭＭ励振でＭＦＤを測定した場合、単一モード動作領域では両者は同じ測定結果を示し、マルチモード動作領域では両者は異なる結果を示す。従って、図１に示したＳＭ励振およびＭＭ励振それぞれにおけるＭＦＤを測定し、それぞれのＭＦＤの測定値の差分を検出することにより、測定波長における単一モード動作またはマルチモード動作を判定できる。
【００２６】
次に、本発明を用いて遮断波長を測定した一例を示す。
【００２７】
図３は本発明の遮断波長測定および動作モード判定装置による測定結果の一例を示す特性図である。ここで、被測定光ファイバは一般的な1.3μｍ帯ＳＭＦとし、長さは２２ｍとした。
【００２８】
図３（ａ）は従来のＭＭ励振法を用いた測定結果を示す。ＭＭ励振法では被測定光ファイバの出射光パワーとマルチモードファイバの出射光パワーとを比較し、長波長帯で両者のパワー差を直線近似した直線から＋0.1ｄＢ平行移動した直線を引き、これと測定結果との交点を遮断波長として特定する。図３（ａ）より、ここで用いたＳＭＦの遮断波長は1184ｎｍと特定される。
【００２９】
図３（ｂ）は本発明の遮断波長測定方法を用いた測定結果を示す。ここで、図中の□および◇はそれぞれＳＭ励振およびＭＭ励振時におけるＭＦＤの測定結果ＷSMおよびＷMMを表し、●は両者の測定結果の比10log（ＷMM／ＷSM）を表す。図３（ｂ）では、波長1200ｎｍ以上ではそれぞれの励振条件で同等のＭＦＤの値が得られ、●で表される両者の比は0.1ｄＢ以下であるが、1180〜1200ｎｍの波長帯で変化が急激に大きくなっていることがわかる。
【００３０】
単一モード動作波長帯では、ＳＭ励振とＭＭ励振では理論的には同じＭＦＤが得られるため、それぞれの励振条件における測定結果の差は測定精度に起因するものであり、ここでのＭＦＤの測定精度は比にして0.1ｄＢ以下と考えられる。従って、1200ｎｍ未満の波長ではマルチモード伝搬によりＭＦＤの測定結果の差が生じていると考えられる。従って、ＭＦＤ比が−0.1ｄＢ以下となる波長がマルチモード領域とすると、図３（ｂ）で破線で示したＭＦＤ比が−0.1ｄＢの直線との交点から遮断波長は約1200ｎｍと得られ、本発明の測定方法により従来の測定方法と同等の精度で遮断波長を特定できることが確認できる。なお、ここでは20ｎｍの波長間隔でＭＦＤ測定を行った場合を示しているが、より短い間隔で測定を行うことにより、更に高精度な遮断波長測定が行える。
【００３１】
図４は本発明の遮断波長測定および動作モード判定装置による測定結果の他の例を示す特性図である。ここで、被測定光ファイバは空孔を付与することにより曲げ損失を大幅に改善した、空孔アシスト型光ファイバであり、長さは２ｍとした。
【００３２】
図４（ａ）は従来のＭＭ励振法を用いた測定結果を示す。図４（ａ）では実線と破線の交点が1200ｎｍおよび1300ｎｍである上、波長1200〜1300ｎｍにおいて雑音成分が多く重畳され、単一モード動作を判定することが難しく、遮断波長を特定することが困難である。
【００３３】
図４（ｂ）は本発明の遮断波長測定方法を用いた測定結果を示し、図中の凡例は図３（ｂ）と同じである。図４（ｂ）では、長波長側では●で表されるＳＭ励振およびＭＭ励振におけるＭＦＤの比は、図３（ｂ）で得られた測定精度（±0.1ｄＢ）内の差だったが、1340ｎｍ未満の波長帯においてＭＦＤの比が単調に減少した。従って、図３（ｂ）と同様に、ＭＦＤの比が−0.1ｄＢ以下となる波長はマルチモード領域と考えられると、図４（ｂ）では遮断波長を約1330ｎｍとなる。さらに従来のＭＭ励振法と比較すると、遮断波長付近の雑音成分が小さく、遮断波長を特定する際の誤差を低減できる。従って、本発明の測定法により、空孔アシスト型光ファイバを含む低曲げ損失光ファイバの遮断波長の特定を、精度良く行えることがわかる。
【００３４】
次に、本発明を用いた動作モードの判定方法、および判定結果を用いた伝送特性の推定方法を示す。
【００３５】
図５は本発明の遮断波長測定および動作モード判定装置による動作モードの測定結果の一例を示す特性図である。ここで、被測定光ファイバは均一な純石英ガラス中に複数の空孔を有するフォトニック結晶ファイバ（ＰＣＦ）を２種類（ＰＣＦ−１，ＰＣＦ−２）用い、長さは２ｍとした。また、ＰＣＦ−１の空孔直径ｄと空孔間ピッチΛとの比ｄ／Λは約0.31であり、非特許文献２に記載されるEndlessly single-modeの条件（ｄ／Λ＜0.43）を満たす。即ち、ＰＣＦ−１は遮断波長を持たず、任意の波長において単一モード動作を実現できる。一方、ＰＣＦ−２のｄ／Λは約0.73であり、非特許文献２より、任意の波長においてマルチモード動作と推定される。図５（ａ）および（ｂ）はそれぞれ、従来のＭＭ励振法および本発明の測定方法を用いた測定結果を示す。
【００３６】
図５（ａ）ではＰＣＦ−１およびＰＣＦ−２に対して、測定波長帯（1000〜1600ｎｍ）において基本モードと高次モードの損失差が変化する波長が存在しないため、遮断波長を特定できず、さらには測定波長帯における単一モード動作を判定することはできない。一方、図５（ｂ）では、ＳＭ励振とＭＭ励振のＭＦＤの差が変化する波長はＰＣＦ−１，ＰＣＦ−２どちらでも存在しないため、測定波長帯の中には遮断波長は存在しない。
【００３７】
またＰＣＦ−１では測定波長帯全体に亘って両者のＭＦＤは一致し、ＭＦＤ比は±0.1ｄＢの範囲であったが、ＰＣＦ−２ではどの波長でもＭＦＤは一致せず、ＭＦＤ比は−0.1ｄＢ未満であった。従って、ＰＣＦ−１は測定波長帯において単一モード動作、ＰＣＦ−２はマルチモード動作と判定できる。
【００３８】
これらの結果より、本発明の遮断波長測定および動作モード判定装置を用い、励振条件の違いによるＭＦＤ偏差の有無、もしくはＭＦＤ比率の変化に着目することで、従来では判定できなかった動作モードの判定を行うことができる。
【００３９】
上述のように、単一モードと判定した波長帯では単一モード伝送による高速伝送を保証することができる。一方、マルチモード動作と判定した波長帯においては、ＭＦＤの比較値を用いて伝送特性を推定することが可能である。非特許文献３によれば、多重経路干渉（ＭＰＩ：Multi-Path Interference）を受光パワーの時間変動量ΔＰを用いて、下記式(5)により算出できる。
【００４０】
【数５】
2012150002.tif 000007
【００４１】
ここで、ＭＰＩは光信号の伝送特性と関係し、ＭＰＩの増加とともに伝送特性は劣化することが知られている（例えば、非特許文献４参照）。
【００４２】
図６は計算によって求めた多光路干渉（ＭＰＩ）を示す。ここで、計算に用いた光ファイバは図２で計算に用いたＳＭＦと同じ構造とし、波長を1200ｎｍとした。また計算ではＬＰ０１モードとＬＰ１１モードとの干渉により、（Ｐ０１−Ｐ１１）〜（Ｐ０１＋Ｐ１１）の間でパワー変動が生じると仮定した。横軸は図２の縦軸（右）に対応し、縦軸はＬＰ０１モードとＬＰ１１モードとの比Ｐ１１／Ｐ０１を用いて式(5)により求めたＭＰＩである。
【００４３】
図６より、得られるＭＦＤの値がＳＭ励振時から乖離するほどＭＰＩの値が大きくなり、伝送特性が劣化することがわかる。従って、ＭＭ励振時およびＳＭ励振時のＭＦＤを比較した値を用い、図２の関係によりＬＰ０１モードとＬＰ１１モードとのパワー比を導出し、式(5)を用いてＭＰＩ特性を計算することによって、本発明の方法により伝送特性の推定が可能となる。
【００４４】
図７は本発明の遮断波長測定および動作モード判定装置における測定手順の一例を示すフローチャートである。ＭＭ励振およびＳＭ励振を行い、被測定光ファイバに光波を入射し、式(1)〜(3)を用いてＭＦＤの波長特性を測定する（ｓ１，ｓ２）。このとき、測定の順番は、ＭＭ励振およびＳＭ励振のどちらを先に行っても良い。次に、測定によって得られたＭＦＤの波長特性の比較を行う（ｓ３）。
【００４５】
このとき、ＭＭ励振およびＳＭ励振におけるＭＦＤ波長特性をそれぞれ２ＷMM(λ)、２ＷSM(λ)とすると、比較値Ｒ(λ)を得る手法として、
差分：２ＷMM(λ)−２ＷSM(λ)  (単位はμｍ)、
比：２ＷMM(λ)／２ＷSM(λ)、
対数比：10log１０(２ＷMM(λ)／２ＷSM(λ))  (単位はｄＢ)、
などの計算方法がある。
【００４６】
なお、本発明では両者を比較することによって遮断波長の特定および動作モードの判定を行うので、比較方法は上記の３つに限定されない。
【００４７】
Ｒ(λ)を取得した後、予め決めた閾値Ｒthを用いて遮断波長の特定および動作モードの判定を行う（ｓ４，ｓ５）。即ち、Ｒ(λ)＝Ｒthとなる波長λが存在する場合、当該波長をλとして特定する（ｓ６）。さらにＲ(λ)＜Ｒthとなる波長帯は単一モード動作、Ｒ(λ)＞Ｒthとなる波長帯はマルチモード動作として判定する（ｓ７，ｓ８）。ここで、遮断波長を特定する閾値と、単一モード動作およびマルチモード動作を判定する閾値は異なる値でも良い。
【産業上の利用可能性】
【００４８】
本発明は、光ファイバの遮断波長または動作モードの判定を行う試験に利用できる。
【符号の説明】
【００４９】
１：広帯域光源、２：分光器、３：可変開口部、４：受光部、５：信号処理部、６：表示部、７：高次モード除去器、８：調芯台、９：レンズ、Ａ：被測定光ファイバ。
【先行技術文献】
【特許文献】
【００５０】
【特許文献１】特許４３２２６３０号公報
【非特許文献】
【００５１】
【非特許文献１】"Measurement methods and test procedures Mode field diameter," IEC 60793-1-45, 2001.
【非特許文献２】M.Koshiba and K.Saitoh, "Applicability of classical optical fiber theories to holey fibers," Optics Letters, vol.29, no.15, pp.1739-1741, Aug. 2004.
【非特許文献３】S.Ramachandran, etc, "Measurement of multipath interference in the coherent crosstalk regime," IEEE Photon. Technol. Lett., vol.15, pp.1171-1173, 2003.
【非特許文献４】C.Fukai, etc, "Relationship between optical wiring conditions and ＭＰＩ degradation," OFC2010, OWA1, 2010.
【図１】
2012150002.tif 000008
【図２】
2012150002.tif 000009
【図３】
2012150002.tif 000010
【図４】
2012150002.tif 000011
【図５】
2012150002.tif 000012
【図６】
2012150002.tif 000013
【図７】
2012150002.tif 000014